(57)【特許請求の範囲】
【請求項１】
主装置と、少なくとも一つの携帯端末とを備え、高解像度画像を前記少なくとも一つの携帯端末から前記主装置へ送信する画像表示システムであって、
前記主装置が、第一の画像及び第二の画像を表示可能な主側表示部と、
前記携帯端末と通信を行う主側通信部と、
前記主側表示部及び前記主側通信部を制御する主側制御部とを含み、
前記携帯端末が、前記第一の画像及び前記第二の画像を表示可能な端末側表示部と、
前記主装置と通信を行う端末側通信部と、
前記端末側表示部及び前記端末側通信部を制御する端末側制御部とを含み、
前記端末側制御部が、前記端末側表示部に前記第一の画像を表示し、
前記端末側通信部が、前記主側通信部へ前記第一の画像に係る低解像度画像の画像データを送信し、次に、前記主側通信部へ前記第一の画像に係る高解像度画像の画像データを送信している間に、前記端末側制御部が、前記端末側表示部に前記第二の画像を追加した場合に、
前記端末側制御部が、前記端末側表示部に前記第二の画像を表示し、
前記端末側通信部が、前記主側通信部へ前記第二の画像に係る低解像度画像の画像データの送信を開始し、
前記端末側通信部が、前記第一の画像に係る高解像度画像の画像データの送信を中断し、
前記端末側通信部が、前記主側通信部への前記第二の画像に係る低解像度画像の画像データの送信を終えたのちに、
前記端末側通信部が、前記主側通信部への前記第一の画像に係る高解像度画像の画像データの送信を再開すること、
を特徴とする画像表示システム。
【請求項２】
主装置と、複数の携帯端末とを備え、高解像度画像を前記複数の携帯端末から前記主装置へ送信する画像表示システムであって、
前記主装置が、第一の画像及び第二の画像を表示可能な主側表示部と、
前記複数の携帯端末と通信を行う主側通信部と、
前記主側表示部及び前記主側通信部を制御する主側制御部とを含み、
前記複数の携帯端末が、前記第一の画像及び前記第二の画像を表示可能な端末側表示部と、
前記主装置と通信を行う端末側通信部と、
前記端末側表示部及び前記端末側通信部を制御する端末側制御部とを含み、
前記複数の携帯端末のうち、第一の携帯端末の端末側制御部が、前記第一の携帯端末の端末側表示部に前記第一の画像を表示し、
前記第一の携帯端末の端末側通信部が、前記主側通信部へ前記第一の画像に係る低解像度画像の画像データを送信し、次に、前記主側通信部へ前記第一の画像に係る高解像度画像の画像データを送信している間に、前記複数の携帯端末のうち、第二の携帯端末の端末側制御部が、前記第二の携帯端末の端末側表示部に前記第二の画像を追加した場合に、
前記第二の携帯端末の端末側制御部が、前記第二の携帯端末の端末側表示部に前記第二の画像を表示し、
前記第二の携帯端末の端末側通信部が、前記主側通信部へ前記第二の画像に係る低解像度画像の画像データの送信を開始し、
前記第一の携帯端末の端末側通信部が、前記第一の画像に係る高解像度画像の画像データの送信を中断し、
前記第二の携帯端末の端末側通信部が、前記主側通信部への前記第二の画像に係る低解像度画像の画像データの送信を終えたのちに、
前記第一の携帯端末の端末側通信部が、前記主側通信部への前記第一の画像に係る高解像度画像の画像データの送信を再開すること、
を特徴とする画像表示システム。
【請求項３】
主装置と、少なくとも一つの携帯端末とを備え、高解像度画像を前記少なくとも一つの携帯端末から前記主装置へ送信する画像表示システムであって、
前記主装置が、画像を表示可能な主側表示部と、
前記携帯端末と通信を行う主側通信部と、
前記主側表示部及び前記主側通信部を制御する主側制御部とを含み、
前記携帯端末が、前記画像を表示可能な端末側表示部と、
前記主装置と通信を行う端末側通信部と、
前記端末側表示部及び前記端末側通信部を制御する端末側制御部とを含み、
前記携帯端末は、画像操作に係る情報を入力する操作入力部を有し、
前記端末側通信部が、前記主側通信部へ前記画像に係る低解像度画像の画像データを送信し、次に、前記主側通信部へ前記画像に係る高解像度画像の画像データを送信している間に、前記操作入力部が、前記画像操作に係る情報を認識した場合に、
前記端末側通信部が、前記主側通信部へ前記画像操作に係る情報の送信を開始し、
前記端末側通信部が、前記画像に係る高解像度画像の画像データの送信を中断し、
前記端末側通信部が、前記主側通信部への前記画像操作に係る情報の送信を終えたのちに、
前記端末側通信部が、前記主側通信部への前記画像に係る高解像度画像の画像データの送信を再開すること、
を特徴とする画像表示システム。
【請求項４】
主装置と、複数の携帯端末とを備え、高解像度画像を前記複数の携帯端末から前記主装置へ送信する画像表示システムであって、
前記主装置が、画像を表示可能な主側表示部と、
前記複数の携帯端末と通信を行う主側通信部と、
前記主側表示部及び前記主側通信部を制御する主側制御部とを含み、
前記複数の携帯端末が、前記画像を表示可能な端末側表示部と、
前記主装置と通信を行う端末側通信部と、
前記端末側表示部及び前記端末側通信部を制御する端末側制御部とを含み、
前記複数の携帯端末は、画像操作に係る情報を入力する操作入力部を有し、
前記複数の携帯端末のうち、第一の携帯端末の端末側通信部が、前記主側通信部へ前記画像に係る低解像度画像の画像データを送信し、次に、前記主側通信部へ前記画像に係る高解像度画像の画像データを送信している間に、前記複数の携帯端末のうち、第二の携帯端末の操作入力部が、前記第二の携帯端末の前記画像操作に係る情報を認識した場合に、
前記第二の携帯端末の端末側通信部が、前記主側通信部へ前記画像操作に係る情報の送信を開始し、
前記第一の携帯端末の端末側通信部が、前記画像に係る高解像度画像の画像データの送信を中断し、
前記第二の携帯端末の端末側通信部が、前記主側通信部への前記画像操作に係る情報の送信を終えたのちに、
前記第一の携帯端末の端末側通信部が、前記主側通信部への前記画像に係る高解像度画像の画像データの送信を再開すること、
を特徴とする画像表示システム。
【請求項５】
前記主装置は、前記主側表示部に表示されている複数の要素を統合した一つの画像データである統合画像データとして出力する画像統合部を備え、
前記画像統合部が、前記画像操作に係る情報をもとに前記統合画像データを生成し、
前記主側通信部が、前記複数の携帯端末のうち統合画像の要求を出した携帯端末に前記統合画像データを送信すること、
を特徴とする請求項４に記載の画像表示システム。
【請求項６】
主装置と、少なくとも一つの携帯端末とを備え、高解像度画像が前記少なくとも一つの携帯端末から前記主装置へ送信され、
前記主装置が、第一の画像及び第二の画像を表示可能な主側表示部と、
携帯端末と通信を行う主側通信部と、
前記主側表示部及び前記主側通信部を制御する主側制御部とを含み、
前記携帯端末が、前記第一の画像及び前記第二の画像を表示可能な端末側表示部と、
前記主装置と通信を行う端末側通信部と、
前記端末側表示部及び前記端末側通信部を制御する端末側制御部とを含み、
前記携帯端末から前記主装置に前記第一の画像及び前記第二の画像を転送表示する画像表示システムの制御方法であって、
前記端末側制御部において前記端末側表示部に前記第一の画像を表示するステップと、
前記端末側通信部が、前記主側通信部へ前記第一の画像に係る低解像度画像の画像データを送信し、次に、前記主側通信部へ前記第一の画像に係る高解像度画像の画像データを送信している間に、前記端末側制御部が、前記端末側表示部に前記第二の画像を追加した場合に、
前記端末側制御部において前記端末側表示部に前記第二の画像を表示するステップと、
前記端末側通信部において前記主側通信部へ前記第二の画像に係る低解像度画像の画像データの送信を開始し、前記第一の画像に係る高解像度画像の画像データの送信を中断するステップと、
前記端末側通信部において前記主側通信部への前記第二の画像に係る低解像度画像の画像データの送信を終えたのちに、前記主側通信部への前記第一の画像に係る高解像度画像の画像データの送信を再開するするステップと、を有する
を特徴とする画像表示システムの制御方法。
【発明の詳細な説明】
【技術分野】
【０００１】
この発明は、画像表示装置に対して、携帯情報端末からデータを送信し、送信データに係る画像を表示する画像表示システム、および、その制御方法に関する。
【背景技術】
【０００２】
電子黒板などの画像表示装置は、携帯情報端末からテキストや画像のデータを転送し、画像表示装置上に表示することで、会議の参加者が情報を共有するために利用される。また、大画面テレビなどの画像表示装置は、各人が携帯情報端末により撮影した画像を画像表示装置上に映して閲覧または編集するために利用されることもある。
【０００３】
上記のような従来の画像表示システムは、各人が共通に見る画像表示装置である主装置と、各人が個別に保有する携帯情報端末により構成されており、概ね、１台の主装置と複数台の携帯情報端末から構成される。主装置は、画像表示部と通信部とを備えており、携帯情報端末は、画像表示部、通信部、及び、操作部を備えている。
【０００４】
画像表示システムの利用者は、各人が保有する携帯情報端末を操作し、携帯情報端末の表示部に表示された画像を修正し、主装置との通信部間での通信を利用して、画像を転送することで、主装置の画像を更新することができる。以下、主装置及び携帯情報端末の表示部に映しだされた画像または文字を表示要素と記載する場合がある。
【０００５】
このような画像表示システムにおいては、携帯端末の表示部が、主装置の表示部に表示された表示要素の大きさや位置といった表示情報を取得し、表示内容を一致させる場合には、主装置の通信部が、主装置の表示部の表示情報を数値化したデータ全て、または、差分を主装置に表示される画像が更新される毎に送信する。
【０００６】
しかしながら、このような画像表示システムでは、画像の更新が頻繁に行われる場合には、主装置と携帯情報端末間で送受信されるデータ量が多くなり、主装置と携帯情報端末とで構成される通信ネットワークにかかる負荷が増大し、輻輳が生じた場合などは、通信が停止、または、通信時間が長くなり、システム全体の使い勝手が悪くなるという問題がある。
【０００７】
上記のような問題を解決した従来の画像表示システムの一つは、たとえば、カメラなどの携帯情報端末に設けられた画像取込部が、主装置の表示部に映しだされた画像を撮影等して取り込み、携帯情報端末の表示部に取り込んだ画像を表示する。そして、携帯情報端末の利用者が、操作部で取り込んだ画像の範囲を指定し、指定された範囲内で画像を更新し、主装置に更新された画像部分のデータのみを送信し、主装置は、他の携帯情報端末に対し、指定された範囲の情報を送信することで、送信データを指定された範囲のデータに限定することができ、データ量を軽減することができるという技術がある（例えば、特許文献１参照）。
【先行技術文献】
【特許文献】
【０００８】
【特許文献１】特開２０１４−１０５６８号公報
【発明の概要】
【発明が解決しようとする課題】
【０００９】
しかしながら、主装置の表示内容は、画像表示システムを利用する複数の者によって逐次更新される。そのため、特許文献１の発明ように、主装置に映しだされた画像を携帯情報端末に設けられたカメラで撮影し、その画素をもとに更新画像を作成する場合には、一の利用者（以下、利用者Ａとする場合がある）の携帯情報端末で、取り込んだ画像の更新操作中に、他の利用者（以下、利用者Ｂとする場合がある）による画像の更新が起こる可能性がある。このような場合、利用者Ａは、操作中であるため、利用者Ｂによる更新に気付かないまま、古い状態を基準に新たな更新を行ってしまう可能性がある。
【００１０】
また、利用者Ｂによる更新に利用者Ａが気付いたとしても、再び主装置に映しだされた画像を携帯情報端末に設けられたカメラで撮影しなければならず、余分な作業が増えるという問題がある。
【００１１】
さらに、一の利用者が、表示情報を取得した後に、新規画像の追加や既存の画像の修正を行う場合、一の利用者が、一連の操作を終え、主装置の表示部へ更新された画像が映し出されるまで、他の利用者は、一の利用者が、どのような画像の追加及び修正を行っているのか分からないという問題がある。
【課題を解決するための手段】
【００１２】
この発明に係る画像表示システムは、主装置と、少なくとも一つの携帯端末とを備え、高解像度画像を前記少なくとも一つの携帯端末から前記主装置へ送信する画像表示システムであって、前記主装置が、第一の画像及び第二の画像を表示可能な主側表示部と、前記携帯端末と通信を行う主側通信部と、前記主側表示部及び前記主側通信部を制御する主側制御部とを含み、前記携帯端末が、前記第一の画像及び前記第二の画像を表示可能な端末側表示部と、前記主装置と通信を行う端末側通信部と、前記端末側表示部及び前記端末側通信部を制御する端末側制御部とを含み、前記端末側制御部が、前記端末側表示部に前記第一の画像を表示し、前記端末側通信部が、前記主側通信部へ前記第一の画像に係る低解像度画像の画像データを送信し、次に、前記主側通信部へ前記第一の画像に係る高解像度画像の画像データを送信している間に、前記端末側制御部が、前記端末側表示部に前記第二の画像を追加した場合に、前記端末側制御部が、前記端末側表示部に前記第二の画像を表示し、前記端末側通信部が、前記主側通信部へ前記第二の画像に係る低解像度画像の画像データの送信を開始し、前記端末側通信部が、前記第一の画像に係る高解像度画像の画像データの送信を中断し、前記端末側通信部が、前記主側通信部への前記第二の画像に係る低解像度画像の画像データの送信を終えたのちに、前記端末側通信部が、前記主側通信部への前記第一の画像に係る高解像度画像の画像データの送信を再開すること、を特徴としたものである。
【発明の効果】
【００１３】
本発明によれば、携帯情報端末を有する複数の利用者が主装置に対してデータの受け渡しをする場合、通信回線を流れる情報量を抑えつつ、携帯情報端末と主装置との間の同期を適切に行うことができる。
【００１４】
また、本発明によれば、画像を追加した直後から画像の同期転送が行えるため、他の利用者は、画像を追加した利用者の表示部の表示状態の変化を、すぐに知ることができる。
【図面の簡単な説明】
【００１５】
【図１】この発明の実施の形態１における画像表示システムの構成を示す概要図である。
【図２】この発明の実施の形態１における画像表示システムの構成要素の内部構造の一例を示すブロック図である。
【図３】本発明の実施の形態１における携帯端末の起動処理を示すフローチャートである。
【図４】本発明の実施の形態１における携帯端末の状態遷移図である。
【図５】本発明の実施の形態１における携帯端末の低解像度画像の送信処理を示すフローチャートである。
【図６】本発明の実施の形態１における携帯端末の高解像度画像の送信処理を示すフローチャートである。
【図７】本発明の実施の形態１における携帯端末の画像の表示操作情報の送信処理を示すフローチャートである。
【図８】本発明の実施の形態１における携帯端末での画像受信処理を示すフローチャートである。
【図９】本発明の実施の形態１における携帯端末での画像の表示操作情報の受信処理を示すフローチャートである。
【図１０】本発明の実施の形態１における主装置での低解像度画像の受信処理を示すフローチャートである。
【図１１】本発明の実施の形態１における主装置での高解像度画像の受信処理を示すフローチャートである。
【図１２】本発明の実施の形態１における主装置での画像の操作情報の受信処理を示すフローチャートである。
【図１３】本発明の実施の形態１における中途送信タスクの記憶処理を示すフローチャートである。
【図１４】本発明の実施の形態１における中途送信タスクの消化処理を示すフローチャートである。
【図１５】本発明の実施の形態２における画像表示システムの通信構成を示す概要図である。
【図１６】本発明の実施の形態２における携帯端末の低解像度画像の送信処理を示すフローチャートである。
【図１７】本発明の実施の形態２における携帯端末の画像の操作情報の送信処理を示すフローチャートである。
【図１８】本発明の実施の形態２における主装置の画像受信の前処理を示すフローチャートである。
【図１９】本発明の実施の形態２における中途送信タスクの消化処理を示すフローチャートである。
【図２０】本発明の実施の形態３における画像表示システムの構成を示すブロック図である。
【図２１】本発明の実施の形態３における主装置の表示部を一つの画像として出力する処理を示すフローチャートである。
【発明を実施するための形態】
【００１６】
実施の形態１．
次に、図面を用いて、この発明の実施の形態を説明する。以下の図面の記載において、同一又は類似の部分には、同一又は類似の符号を付している。但し、図面は模式的なものであり、各寸法の比率等は現実のものとは異なることに留意すべきである。したがって、具体的な寸法等は以下の説明を参酌して判断すべきものである。また、図面相互間においても互いの寸法の関係や比率が異なる部分が含まれていることは勿論である。
【００１７】
図１は、この発明の実施の形態１における画像表示システムの構成を示す概要図である。また、図２は、この発明の実施の形態１における画像表示システムの構成要素の内部構造の一例を示すブロック図である。図に示すように、この発明の実施の形態１の画像表示システム１は、たとえば、主装置２と３台の携帯情報端末（ａ）３、携帯情報端末（ｂ）４、及び、携帯情報端末（ｃ）５からなる。ここで、図１では、主装置２を１台、携帯情報端末を３台とした例を示したが、主装置を複数台としたり、携帯情報端末を２台、４台、または、その他の複数台として構成してもよい。
【００１８】
主装置２は、例えばテレビのような画像表示装置であって、少なくとも、画像を表示可能な主側表示部２１と、外部装置と通信を行う主側通信部２２とを備える。ここで、主側表示部２１には、表示要素６が表示されており、表示要素６が複数ある場合は、それぞれ異なった表示姿勢を持つこともできる。ここで示す画像の表示姿勢とは、画像の表示位置、大きさ、及び、回転などで規定される画像の状態を指す。
【００１９】
主装置２の主側表示部２１と携帯情報端末（ａ）３の端末側表示部３１とは、画面サイズ、画素数、または、アスペクト比等が異なるため、全く同一の表示を行うことはできないが、主側表示部２１に表示される画像に対応する画像を端末側表示部３１に表示する。また、主側通信部２２と端末側通信部３２とは、主側表示部２１及び端末側表示部３１に表示される画像情報を共有する必要があることから、同期をとり、画像情報が更新された場合には、更新情報を通知する。以下、画像情報の更新情報を操作情報と称する場合がある。
【００２０】
本実施の形態では、携帯情報端末は、操作情報を各パラメータの差分をテキスト化したものとして送信し、画像の姿勢操作を主装置に反映させる。これにより、携帯情報端末が主装置に表示姿勢の操作を行った後の画像を送信するのと比べて、送信するデータ量が少なくて済む。なお、端末側表示部３１については携帯情報端末（ａ）３についてのみ記載しているが、携帯情報端末（ｂ）４、及び携帯情報端末（ｃ）５にもついても同様である。
【００２１】
端末側通信部３２と主側通信部２２との間のデータのやり取りは、３種類に大別され、端末側通信部３２から主側通信部２２へのデータの送信に用いられる上り通信４１、主側通信部２２から端末側通信部３２へのデータの送信に用いられる下り通信４２、及び、主側通信部２２から携帯情報端末（ａ）３、携帯情報端末（ｂ）４、及び、携帯情報端末（ｃ）５の端末側通信部へのデータの送信に用いられるマルチ通信４３と、で構成される。なお、端末側表示部３１については携帯情報端末（ａ）３についてのみ記載しているが、携帯情報端末（ｂ）４、及び携帯情報端末（ｃ）５にもついても同様である。
【００２２】
本実施の形態では、マルチ通信４３として、マルチキャストを用いているが、全ての携帯情報端末にデータが送信される方法なら何でもよい。例えば、主側通信部２２がＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ：以下、ＴＣＰ／ＩＰとのみ記載する場合がある）を用いて全ての携帯情報端末の一つずつに対し、データを送信する方法などが挙げられる。
【００２３】
上り通信４１、下り通信４２、及び、マルチ通信４３の通信方式は、主装置２と携帯情報端末３との間でやり取りが必要な画像、文字、及び、表示操作情報などのデータが送受信可能であれば、どのような通信方式を用いても構わない。なお、携帯情報端末３は、移動しても使える方が望ましいので、通信方式は無線であることが好ましい。例えば、Ｗｉ−Ｆｉ（Ｗｉｒｅｌｅｓｓ  Ｆｉｄｅｌｉｔｙ）方式、Ｂｌｕｅｔｏｏｔｈ（登録商標）方式、ＮＦＣ（Ｎｅａｒ  ｆｉｅｌｄ  ｃｏｍｍｕｎｉｃａｔｉｏｎ）方式などが挙げられる。
【００２４】
以下、主装置２について説明する。図２に示すように、主装置２は、主側表示部２１、主側通信部２２、主側記憶部２３、主側制御部２４、及び、画像送信管理部２５を含んで構成される。
【００２５】
主側表示部２１は、主側表示画像（各表示要素）６を表示する。主側通信部２２は、携帯情報端末（ａ）３との間でデータの送受信を行う。主側記憶部２３は、携帯情報端末（ａ）３から受信した画像及びテキストデータを記憶する。主側制御部２４は、いわゆるＣＰＵ（Ｃｅｎｔｒａｌ Ｐｒｏｃｅｓｓｉｎｇ  Ｕｎｉｔ：中央演算装置。以下、ＣＰＵとのみ記載する場合がある）であり、主側通信部２２で取得した画像を主側記憶部２３に記憶をさせ、主側記憶部２３に保存された画像を読み出し、主側通信部２２や主側表示部２１に転送し、主側通信部２２で取得した操作情報を主側表示部２１上の主側表示画像６に反映し、画像送信管理部２５の指示に応じて主側通信部２２の画像送信の制御を行う。
【００２６】
画像送信管理部２５は、記憶された画像のデータ送信の中断状況を示す情報である中途送信タスクをもとに、主側制御部に送信するデータの指示を行う。中途送信タスクは、携帯情報端末（ａ）３、携帯情報端末（ｂ）４及び携帯情報端末（ｃ）５の高解像度画像の送信中に送信の中断が発生した場合に記録される情報で、高解像度画像を送っていた携帯情報端末と、送っていた高解像度画像の画像ＩＤと、高解像度画像のうちの送信済みデータ容量の値で構成される。中途送信タスクは、高解像用タスクキューにその発生順に記憶され、その発生順に消化される。
【００２７】
次に、携帯情報端末（ａ）３について説明する。図２に示すように、携帯情報端末（ａ）３は、端末側表示部３１、端末側通信部３２、端末側記憶部３３、端末側制御部３４、操作入力部３５、及び、低解像度画像生成部３６を含んで構成される。
【００２８】
端末側表示部３１は、端末側表示画像７を表示する。
端末側通信部３２は、主側通信部２２との間でデータの送受信を行う。
端末側記憶部３３は、予め画像や文字のデータを持つほか、受信したデータを記憶する。
端末側制御部３４は、いわゆるＣＰＵであり、端末側表示部３１の表示制御、端末側通信部３２の通信制御、端末側記憶部３３における画像の読み書きを行う。
操作入力部３５は、携帯情報端末（ａ）３に対する、端末側表示画像７の追加、削除及び姿勢の操作を認識する部分である。操作入力部３５は、例えば、ボタンで構成されていても、タッチパネルで構成されていてもよい。
【００２９】
低解像度画像生成部３６は、操作入力部３５で選択された端末側記憶部３３内の画像を低解像度にした低解像度画像の生成を行う。低解像度画像の生成する方法は、特に規定しない。例えば、バイリニア法やバイキュービック法などが適当である。また、どのくらい低い解像度にするかは、システム利用者の利便性から決まる値であり、任意に定められるが、本実施の形態では１００（ＫＢ：キロバイト。以下、ＫＢとのみ記載する場合がある）程度、つまり、低解像度化する前の画像と比べて１／１００のデータ容量となるようにした。
【００３０】
以下、各処理の詳細について説明する。また以後、表示画像とは、文字やグラフなどを含んだ、表示部に表示される要素全てを差すものとし、単に、画像と称した場合は、表示画像を含めた、画像一般を差すものとする。
【００３１】
まず、主装置２の起動処理について説明する。主装置２の起動後において、主側制御部２４は、主側表示部２１に空白の画面として黒色の画像を全体表示する。本実施の形態では、空白の画面を黒色の画像の全体表示と定義したが、主側表示画像６が表示されておらず、主側表示部２１が空白であると利用者に認識される画像であればよい。以上で、主装置２の起動処理は終了となる。主装置２は待機状態になり、受信した内容によって、主側制御部２４が主装置２の構成要素の制御を行うことで、以降の処理を進める。
【００３２】
次に、携帯情報端末（ａ）３の起動処理について説明する。図３は、携帯情報端末（ａ）３の起動処理を示すフローチャートである。
【００３３】
図に示すように、まず携帯情報端末（ａ）３が起動されると、端末側通信部３２は、主側通信部２２との通信を試みる（Ｓ１０１）。ここで行う通信内容は、端末側通信部が接続しているネットワーク上に、主側装置が存在しているかを確認するためのものである。主側通信部２２からの通信の応答があるまでこの処理は繰り返される（Ｓ１０２）。
【００３４】
主側通信部２２との通信確立後（Ｓ１０２：ｙｅｓ）、端末側通信部３２は、通信した主側通信部２２から現在の表示状態を表すデータを受信する（Ｓ１０３）。現在の表示状態を表すデータは、主装置２の主側表示画像６の低解像度画像と、主側表示画像６の各要素についての画像ＩＤと、操作情報と、で構成される。なお、ここで送信される操作情報とは、操作対象である主側表示画像６の画像ＩＤと、主側表示画像６の各要素の初期表示の姿勢と現在の姿勢とのパラメータの差の値とで構成される。
【００３５】
表示状態の受信後、端末側制御部３４は、得られた表示状態をもとに端末側表示部３１に画像を表示する（Ｓ１０４）。以上で携帯情報端末（ａ）３の起動処理が終了する。
【００３６】
続いて、携帯情報端末（ａ）３の起動処理終了後の内部状態の遷移について説明する。図４は、携帯情報端末（ａ）３の起動処理終了後の状態遷移図である。各状態での処理については後述するとし、ここでは状態遷移についてのみ説明する。
【００３７】
図において、携帯情報端末（ａ）３は、起動処理後の待機状態にある（ＳＴ１０１）ものとする。待機状態において、操作入力部３５への操作により、端末側記憶部３３から画像を読み出し、端末側表示画像７として端末側表示部３１に追加されると、低解像度画像の送信状態（ＳＴ１０２）に遷移する（Ｅ１０１）。
【００３８】
低解像度画像の送信状態で行われる処理については、図５にて説明する。
低解像度画像の送信状態において、低解像度画像の送信処理が終了すると、待機状態に遷移する（Ｅ１０２）。
【００３９】
待機状態において、操作入力部３５への操作により、端末側表示部３１の表示画像６に姿勢の操作が加えられると、操作情報の送信状態（ＳＴ１０３）に遷移する（Ｅ１０３）。操作情報送信の状態で行われる処理については、図７にて説明する。
操作情報送信の状態において、操作情報送信状態における処理の終了イベントが発生すると、待機状態に遷移する（Ｅ１０４）。
【００４０】
待機状態（ＳＴ１０１）、低解像度画像の送信状態（ＳＴ１０２）、及び、操作情報の送信状態（ＳＴ１０３）において、端末側通信部３２が主側通信部２２から低解像度画像もしくは操作情報を受信すると、その受信処理を優先し、受信終了後それぞれ元の状態に復帰し、処理を続行する（Ｅ１０５〜Ｅ１０７）。低解像度画像もしくは操作情報の受信処理については、それぞれ図８、図９にて説明する。
【００４１】
待機状態（ＳＴ１０１）において、端末側通信部３２が送信開始メッセージを受信すると、高解像度画像の送信状態（ＳＴ１０４）に遷移する（Ｅ１０８）。また、待機状態（ＳＴ１０１）において、中断された高解像度画像の送信が再開される場合にも、高解像度画像の送信状態（ＳＴ１０４）に遷移する（Ｅ１０８）。
【００４２】
待機状態（ＳＴ１０１）において、端末側通信部３２が、主側通信部２２から送信開始メッセージを受信すると、高解像度画像の送信状態において、高解像度画像の送信処理が終了すると、待機状態に遷移する。高解像度画像の送信処理については、図６にて説明する（Ｅ１０９）。
【００４３】
さらに、高解像度画像の送信状態（ＳＴ１０４）において、同じ携帯情報端末（ａ）３内の操作入力部３５への操作により端末側記憶部３２から画像が選択され、端末側表示部３１に端末側表示画像７として同画像が追加されると、低解像度画像送信の状態に遷移する（Ｅ１１０）。
【００４４】
また、高解像度画像の送信状態（ＳＴ１０４）において、同じ携帯情報端末（ａ）３内の操作入力部３５への操作により、端末側表示部３１の端末側表示画像７に対し、姿勢の操作が加えられると、操作情報送信の状態に遷移する（Ｅ１１１）。
【００４５】
続いて、携帯情報端末（ａ）３の低解像度画像の送信処理について説明する。図５は、携帯情報端末（ａ）３から主装置２に対する低解像度画像の送信処理を示すフローチャートである。低解像度画像の送信処理が開始されるのは、操作入力部への操作により、端末側表示部３１に追加する端末側記憶部３３内の画像が選択されたタイミングである。以下、選択された画像を追加画像と称する。
【００４６】
図５に示されるように、まず、低解像度画像生成部３６が、追加画像を低容量にしたものである低解像度画像を生成する（Ｓ２０１）。
【００４７】
続いて、端末側制御部３４は、端末側表示部３１の中央に追加画像である低解像度画像を端末側表示画像７のひとつとして表示する（Ｓ２０２）。なお、本実施の形態では、追加画像の初期位置を端末側表示部３１の中央としたが、端末側表示部３１のどの位置でも問題はない。
【００４８】
ここで、端末側通信部３２は、主側通信部２２に低解像度画像を送信する（Ｓ２０３）。
【００４９】
以上で、低解像度画像の送信処理は終了となる。以上のように、本実施の形態では、送信する画像を選択した際に、選択された画像を低容量にした低解像度画像を先行して送信する。これにより、送られる画像が低容量であるため、ネットワークに負荷をかけずに、各装置間での表示状態の同期をすることができる。
【００５０】
続いて、携帯情報端末（ａ）３の高解像度画像の送信処理について説明する。図６は、携帯情報端末（ａ）３から主装置２に対する高解像度画像の送信処理を示すフローチャートである。高解像度画像の送信処理が開始されるのは、端末側通信部３２が送信開始メッセージを受信したタイミングである。
【００５１】
また、送られてくる送信開始メッセージには、画像ＩＤと、高解像度画像のうちの送信済みデータ容量と、が含まれている。そのため、携帯情報端末３はどの画像について、どれだけのデータが送信済みであるかを知ることができる。よって、端末側通信部３２は、高解像度画像の送信が中断された状態であったとしても、画像ＩＤにより指定された表示画像６について、未送信部分のデータのみを送信することができる。
【００５２】
図６に示されるように、高解像度画像の送信処理は、Ｓ３０１、Ｓ３１１をループ端とするループ処理となっている（Ｓ３０１〜Ｓ３１１）。
【００５３】
処理ループでは、まず、端末側通信部３２は、送信中断メッセージを受信したかどうかを確認する（Ｓ３０２）。この送信中断メッセージは、他の携帯情報端末（ｂ）４、及び携帯情報端末（ｃ）５が低解像度画像や操作情報の送信を開始した段階で、主側通信部２２から高解像度画像を送信している携帯情報端末（ａ）３の端末側通信部３２に送信されるメッセージである。
【００５４】
送信中断メッセージを受信していた場合（Ｓ３０２：ｙｅｓ）、端末側通信部３２は、高解像度画像の送信を中断し（Ｓ３０３）、高解像度画像の送信処理の処理を終了する。携帯情報端末（ａ）３の内部状態は待機状態に遷移する。
【００５５】
送信中断メッセージを受信していなかった場合（Ｓ３０２：ｎｏ）、携帯情報端末（ａ）３の端末側制御部３４は、同端末内で追加画像の選択があったかどうかを確認する（Ｓ３０４）。
【００５６】
追加画像の選択があった場合は（Ｓ３０４：ｙｅｓ）、端末側通信部３２が、高解像度画像の送信を中断し（Ｓ３０５）、送信中断メッセージを主側通信部２２に送信し（Ｓ３０６）、高解像度画像の送信処理を終了する。携帯情報端末（ａ）３の内部状態は低解像度画像送信状態に遷移する。
【００５７】
追加画像の選択がなかった場合（Ｓ３０４：ｎｏ）、端末側制御部３４は、同端末内で表示画像の姿勢の操作があったかどうかを確認する（Ｓ３０７）。表示画像の姿勢の操作があった場合は（Ｓ３０７：ｙｅｓ）、端末側通信部３２は、高解像度画像の送信を中断し（Ｓ３０８）、送信中断メッセージを主側通信部２２に送信し（Ｓ３０９）、高解像度画像の送信処理を終了する。携帯情報端末（ａ）３の内部状態は操作情報送信状態に遷移する。
【００５８】
表示画像の姿勢の操作がなかった場合（Ｓ３０７：ｎｏ）、端末側通信部３２は、主側通信部２２に高解像度画像の一部を送信し（Ｓ３１０）、繰り返し処理の始めに戻る（Ｓ３１１）。
【００５９】
高解像度画像の送信完了を以って、高解像度画像の送信処理は終了となる。
【００６０】
以上のように、本実施の形態では、携帯情報端末（ａ）３携帯情報端末の端末側通信部３２が高解像度画像の送信中に、携帯情報端末（ａ）３及び携帯情報端末（ｂ）４の携帯情報端末において低解像度画像や操作情報の送信がある場合に、高解像度画像の送信中の携帯情報端末は高解像度画像の送信を中断することで、携帯情報端末（ａ）３及び携帯情報端末（ｂ）４の携帯情報端末の低解像度画像や操作情報の送受信を優先して行う。これにより、各装置間での表示状態の同期が優先的に行われるため、各装置間での表示状態の同期が完了するまでの時間を短くできる。
【００６１】
続いて、携帯情報端末（ａ）３の操作情報の送信処理について説明する。図７は、携帯情報端末（ａ）３から主装置２に対する操作情報の送信処理を示すフローチャートである。操作情報の送信処理が開始されるのは、操作入力部３５への操作により、端末側表示部３１の端末側表示画像７のうちが一つ選択され、その後、選択された表示画像に姿勢操作が加えられたタイミングである。この姿勢操作を加える対象は、表示操作が入力される携帯情報端末（ａ）３において追加された画像だけでなく、携帯情報端末（ｂ）４や携帯情報端末（ｃ）で追加された画像でもよい。以下、姿勢操作が加えられた対象の画像を選択画像と称する。
【００６２】
図７に示されるように、まず、端末側制御部３４は、端末側表示部３１の選択画像に対し、操作入力部３５に入力された操作に即した画像の表示制御を行う（Ｓ４０１）（以降、表示操作を反映する、と表現する）。つまり、ある画像に対し、拡大を意図する表示操作が行われたら、該画像を表示操作に従って拡大表示する、ということを表す。
【００６３】
続いて、端末側制御部３４は、端末側表示部３１の表示を更新する（Ｓ４０２）。
さらに、端末側制御部３４は、選択画像の画像ＩＤと、入力された操作とをもとに、操作情報を生成する（Ｓ４０３）。そして、端末側通信部３２は、主側通信部２２に操作情報を送信する（Ｓ４０４）。以上で、操作情報の送信処理は終了となる。
【００６４】
続いて、携帯情報端末（ａ）３が、低解像度画像を受信する処理について説明する。図８は、携帯情報端末（ａ）３が低解像度画像を受信する処理を示すフローチャートである。図に示すように、まず、端末側通信部３２で受信した低解像度画像と画像ＩＤを、端末側記憶部３３で保存する（Ｓ５０１）。
【００６５】
続いて、保存した低解像度画像を端末側制御部３４が端末側表示部３１に表示を行う（Ｓ５０２）。このときの画像の表示位置は、画像を追加したときの追加画像の初期位置と同じ位置である、端末側表示部３１の中央であるとする。以上で、低解像度画像受信の処理は終了となる。
【００６６】
続いて、携帯情報端末（ａ）３が操作情報を受信する処理について説明する。図９は、携帯情報端末（ａ）３が操作情報を受信する処理を示すフローチャートである。図に示すように、まず、端末側制御部３４は、受信した操作情報をもとに、表示操作を対象となる画像に反映する（Ｓ６０１）。
【００６７】
続いて、端末側制御部３４は、操作反映済みの画像を端末側表示部３１に表示し、表示状態の更新を行う（Ｓ６０２）。以上で操作情報受信の処理は終了となる。
【００６８】
続いて、主装置２が、携帯情報端末がネットワークに参加する際に行う、携帯情報端末との同期処理について説明する。ネットワークに参加する携帯情報端末の端末側通信部３２が、主側通信部２２に接続を要求してきた場合、主側通信部２２は、その端末側通信部３２と接続を開始し、次いで、主側通信部２２は、その端末側通信部３２に現在の表示状態を送信する。以上で、ネットワークに参加する携帯情報端末との同期処理が終了する。
【００６９】
続いて、主装置２が携帯情報端末（ａ）３から低解像度画像を受信する処理について説明する。図１０は、主装置２が携帯情報端末（ａ）３から低解像度画像を受信する処理を示すフローチャートである。図に示されるように、まず、携帯情報端末（ａ）３において高解像度画像の送信が中断されるかを判断する、中途送信タスク追加処理を行う（Ｓ７０１）。中途送信タスク追加処理については、図１３にて説明する。
【００７０】
続いて、主側記憶部２３が、受信した低解像度画像を保存し（Ｓ７０２）、主側制御部２４が、受信した低解像度画像に対し画像ＩＤを付与する（Ｓ７０３）。さらに、主側制御部２４が、受信した低解像度画像を主側表示部２１に表示する（Ｓ７０４）。次いで、主側通信部２２が、受信した低解像度画像と、受信した低解像度画像に付与した画像ＩＤとを、携帯情報端末（ａ）３、携帯情報端末（ｂ）４、及び携帯情報端末（ｃ）５の端末側通信部３２に送信する（Ｓ７０５）。
【００７１】
そして、携帯情報端末（ａ）３において中断された高解像度画像の送信の再開に関する、中途送信タスク消化処理を行う（Ｓ７０６）。中途送信タスク消化処理については、図１４にて説明する。以上で低解像度画像の受信処理は終了となる。
【００７２】
本実施の形態１では、主側通信部２２は、マルチキャストを利用して携帯情報端末（ａ）３、携帯情報端末（ｂ）４、及び携帯情報端末（ｃ）５に低解像度画像を送信しているが、前記低解像度画像を主側通信部２２に送信した携帯情報端末（ａ）３には低解像度画像を送信しないようにしてもよい。これにより、前記携帯情報端末（ａ）３の受信処理負荷を低減することができる。
【００７３】
続いて、主装置２が携帯情報端末（ａ）３から高解像度画像を受信する処理について説明する。図１１は、主装置２が携帯情報端末（ａ）３から高解像度画像を受信する処理を示すフローチャートである。図に示すように、まず、端末側記憶部３３が、受信した高解像度画像の部分データの蓄積を行う（Ｓ８０１）。
【００７４】
続いて、端末側制御部３４が、高解像度画像の受信が完了したかどうかの判定を行う（Ｓ８０２）。受信完了の判定は、端末側通信部３２が主側通信部２２に送信完了のフラグを送信することで行ってもよいし、携帯情報端末（ａ）３から事前に送っておいた高解像度画像の容量の値と、主側通信部２２で受信した実際のデータの容量とを比較してもよい。受信が完了していない場合は（Ｓ８０２：ｎｏ）、高解像度画像の受信処理は終了となる。
【００７５】
受信が完了していた場合（Ｓ８０２：ｙｅｓ）、主側記憶部２３が、受信した高解像度画像を主側表示画像６として保存し、主側制御部２４が、保存した高解像度画像を、主側表示部２１に表示されている対応する低解像度画像と同じ表示状態で表示する（Ｓ８０３）。高解像度画像の表示と同時に、対応する低解像度画像は主側表示部２１からは消去される。そして、中途送信タスク消化処理を行う（Ｓ８０４）。以上で高解像度画像の受信処理は終了となる。
【００７６】
続いて、主装置２が携帯情報端末（ａ）３から操作情報を受信する処理について説明する。図１２は、主装置２が携帯情報端末（ａ）３から操作情報を受信する処理を示すフローチャートである。図に示すように、まず、中途送信タスク追加処理を行う（Ｓ９０１）。
【００７７】
続いて、主側制御部２４が、操作情報をもとに画像の表示操作を反映させる（Ｓ９０２）。さらに、主側制御部２４が、主側表示部２１に操作反映済みの画像を表示し、表示状態の更新を行う（Ｓ９０３）。次いで、主側通信部２２が、受信した操作情報を全ての携帯情報端末（ａ）３の端末側通信部３２に送信する（Ｓ９０４）。そして、中途送信タスク消化処理を行う（Ｓ９０５）。以上で操作情報の受信処理は終了となる。
【００７８】
続いて、主装置２におけるタスク追加処理について説明する。タスク追加処理では、携帯情報端末（ａ）３において高解像度画像の送信が中断されるかを判断する処理を行う。図１３は、中途送信タスク追加処理を示すフローチャートである。図に示すように、まず、主側通信部２２が高解像度画像を送信中の携帯情報端末があるかどうかを判断する。
【００７９】
高解像度画像を送信中の携帯情報端末がない場合は（Ｓ１００１：ｎｏ）、中途送信タスク追加処理を終了する。高解像度画像を送信中の携帯情報端末がある場合は（Ｓ１００１：ｙｅｓ）、主側制御部２４が、どの携帯情報端末が高解像度画像を送信中であるかの特定を行う（Ｓ１００２）。
【００８０】
続いて、主側通信部２２が、高解像度画像を送信中の携帯情報端末の端末側通信部３２に対して、送信中断メッセージを送信する（Ｓ１００３）。そして、高解像用タスクキューに対して、高解像度画像を送っていた携帯情報端末と、送っていた高解像度画像の画像ＩＤと、高解像度画像のうちの送信済みデータ容量と、送信再開の順番と、を中途送信タスクとして記憶する（Ｓ１００４）。以上で、中途送信タスク追加処理が終了する。
【００８１】
続いて、主装置２における中途送信タスク消化処理について説明する。中途送信タスク消化処理では、携帯情報端末（ａ）３において中断された高解像度画像の送信の再開を行うかどうかを判断する、図１４は、中途送信タスク消化処理を示すフローチャートである。図に示すように、まず、主側制御部２４が、高解像用タスクキューに中途送信タスクが残っているかどうかを確認する（Ｓ１１０１）。
【００８２】
高解像用タスクキューに中途送信タスクが残っていない場合は（Ｓ１１０１：ｎｏ）、中途送信タスク消化処理を終了する。高解像用タスクキューに中途送信タスクが残っている場合（Ｓ１１０１：ｙｅｓ）、主側通信部２２が、高解像用タスクキューの中途送信タスクのうち、もっとも古い中途送信タスクに紐づけられた携帯情報端末の端末側通信部３２に、送信開始メッセージを送信する（Ｓ１１０２）。
【００８３】
続いて、主側制御部２４が、高解像用タスクキューのもっとも古い中途送信タスクを消去する（Ｓ１１０３）。以上で、中途送信タスク消化処理が終了する。
【００８４】
本実施の形態に係る画像表示システムにおいて、画像の追加を行っている携帯情報端末では、低解像度画像生成部が、容量が小さい低解像度画像を生成し、端末側通信部が、低解像度画像を主側通信部に送信し、続いて主側通信部が、全ての端末側通信部に低解像度画像を送信する。また、表示画像の姿勢操作を行っている携帯情報端末では、端末側制御部が、操作情報を生成し、端末側通信部が、操作情報を主側通信部に送信し、続いて主側通信部が、全ての端末側通信部に操作情報を送信する。
【００８５】
上記の通信は、利用者が携帯情報端末を操作した後、ボタン操作なく行われるので、表示画像の追加や操作を行っている携帯情報端末上での表示状態の更新が、主装置および携帯情報端末以外の携帯情報端末でも即座に取得でき、携帯情報端末の利用者がどのような表示状態の更新を行っているかが他の利用者にとってわかりやすい。
【００８６】
また、本実施の形態に係る画像表示システムにおいて、携帯情報端末が高解像度画像送信中でも、同携帯情報端末及び他の携帯情報端末の低解像度画像や操作情報が優先して送受信される。さらにここで送信される低解像度画像や操作情報は容量が小さくなるように設計されている。これにより、携帯情報端末と主装置及び他の携帯情報端末との間の表示部の状態の同期をネットワークの負荷を高めることなく高速に行うことができる。
【００８７】
なお、以上の説明では、携帯情報端末（ａ）３についての具体的な動作を中心に説明してきたが、携帯情報端末（ｂ）４及び携帯情報端末（ｃ）５についても同様である。また、ここでは、携帯情報端末が３台の場合について説明してきたが、２台、４台、及び、それ以上の複数台であってもかまわない。
【００８８】
実施の形態２ 
図１５は、実施の形態２における画像表示システムの通信構成を示す概要図である。図に示すように、本実施の形態において、主装置２は、携帯情報端末（ａ）３、携帯情報端末（ｂ）４、及び携帯情報端末（ｃ）５に対してマルチキャスト通信を行わない点が実施の形態１の主装置２と異なり、携帯情報端末（ａ）３は、主装置２と携帯情報端末（ｂ）４、及び携帯情報端末（ｃ）５に対してマルチキャスト用いて送信を行う上りマルチ通信４４を持つ点が実施の形態１の携帯情報端末（ａ）３と異なる。また、画像表示システム１の通信は、携帯情報端末（ａ）３に関するもののみ示してあるが、携帯情報端末（ｂ）４（ｂ）及び携帯情報端末（ｃ）５についても同様の通信経路を持っている。
【００８９】
本実施の形態では上りマルチ通信４４にマルチキャストを用いているが、主装置２や他の携帯情報端末（ａ）３にデータが送信される方法ならよい。例えば、端末側通信部３２がＴＣＰ／ＩＰを用いて主装置２や他の携帯情報端末（ａ）３にそれぞれデータを送信する方法が挙げられる。
【００９０】
さらに、本実施の形態では、主装置２の構成については、画像送信管理部２５が、２つのキューで構成されており、一つは実施の形態１と同じ用途で用いる高解像用タスクキューであり、もう一つは低解像度画像及び操作情報の要素のためのキューである小容量用タスクキューである、という点で実施の形態１と異なる。
【００９１】
以下で、携帯情報端末（ａ）３の低解像度画像の送信処理について説明する。図１６は、携帯情報端末（ａ）３から主装置２に対する低解像度画像の送信処理を示すフローチャートである。低解像度画像の送信処理が開始されるのは、操作入力部への操作により、端末側表示部３１に追加する画像が選択されたタイミングである。なお、実施の形態１とは、Ｓ２０３ついては同様であり、Ｓ２０１とＳ２０２については並列処理が増えたことを除けばそれぞれ同様であるため、説明を省略する。図に示すように、Ｓ２０１の並列処理として、端末側通信部３２は、主側通信部２２に対し送信要求メッセージを送信する（Ｓ１２０１）。そして、端末側通信部３２は、主側通信部２２から送信開始メッセージが送られてくるまで待機する（Ｓ１２０２）。Ｓ１２０２とＳ２０２の両方のステップが完了したら、Ｓ２０３を行う。以上で、低解像度画像の送信処理は終了となる。
【００９２】
続いて、携帯情報端末（ａ）３の操作情報の送信処理について説明する。図１７は、携帯情報端末（ａ）３から主装置２に対する操作情報の送信処理を示すフローチャートである。操作情報の送信処理は、操作入力部３５への操作により、端末側表示部３１の端末側表示画像７に表示操作が加えられた時点で開始される。なお、実施の形態１とは、Ｓ４０４ついては同様であり、Ｓ４０１からＳ４０３については並列処理が増えたことを除けばそれぞれ同様であるため、説明を省略する。図に示すように、Ｓ４０１の並列処理として、端末側通信部３２は、主側通信部２２に対し送信要求メッセージを送信する（Ｓ１３０１）。そして、端末側通信部３２は、主側通信部２２から送信開始メッセージが送られてくるまで待機する（Ｓ１３０２）。Ｓ１３０２とＳ４０３両方のステップが完了したら、Ｓ４０４を行う。以上で、操作情報送信の状態の処理は終了となる。
【００９３】
続いて、主装置２が携帯情報端末（ａ）３から送信要求メッセージを受信する処理について説明する。図１８は、主装置２が、携帯情報端末（ａ）３から送信要求メッセージを受信するときに行う処理のフローチャートである。図に示すように、まず、主側制御部２４が、送信要求の対象であるである低解像度画像に対し画像ＩＤを付与する（Ｓ１４０１）。次いで、主側通信部２２は、送信要求メッセージを送信してきた携帯情報端末（ａ）３の端末側通信部３２に、付与した画像ＩＤを送付する（Ｓ１４０２）。さらに、主側制御部２４は、主側通信部２２が低解像度画像や操作情報を受信中でないかどうかを確認する（Ｓ１４０３）。
【００９４】
受信中でない場合は（Ｓ１４０３：ｙｅｓ）、主側通信部２２は、送信要求メッセージを送信してきた携帯情報端末（ａ）３の端末側通信部３２に対し、送信開始メッセージを送信する（Ｓ１４０４）。
【００９５】
受信中である場合は（Ｓ１４０３：ｎｏ）、送信要求メッセージを送信してきた携帯情報端末（ａ）３と、送信開始までの順番と、を小容量用タスクキューに中途送信タスクとして記憶する（Ｓ１４０５）。以上で、処理が終了となる。
【００９６】
なお、本実施の形態では、主側通信部２２が端末側通信部３２から低解像度画像もしくは操作情報を受信する処理において、画像ＩＤを付与する処理（Ｓ７０３）と、携帯情報端末（ａ）３、携帯情報端末（ｂ）４、及び携帯情報端末（ｃ）５にデータを送付する処理（Ｓ７０５、Ｓ９０４）と、が無いことを除けば、主側通信部２２が送信要求メッセージ以外のデータを受信するときの動作については、実施の形態１と同様である。
【００９７】
また、主装置２が携帯情報端末（ａ）３から低解像度画像もしくは操作情報を受信する処理における、タスク追加処理（Ｓ７０１、Ｓ９０１）を、Ｓ１４０３の後に実行する、というように変更してもよい。
【００９８】
続いて、主装置での画像の送信タスクの消化処理について説明する。図１９は、主装置での画像の送信タスクの消化処理のフローチャートである。図に示すように、まず、主側制御部２４は、小容量用タスクキューに中途送信タスクが残っているかどうかを確認する（Ｓ１５０１）。
【００９９】
小容量用タスクキューに中途送信タスクが残っていない場合は（Ｓ１５０１：ｎｏ）、実施の形態１同様の処理を行う（Ｓ１１０１〜Ｓ１１０３）。
【０１００】
小容量用タスクキューに中途送信タスクが残っている場合は（Ｓ１５０１：ｙｅｓ）、主側通信部２２が、小容量用タスクキューの中途送信タスクのうち、もっとも古い中途送信タスクに紐づけられた携帯情報端末の端末側通信部３２に、送信開始メッセージを送信する（Ｓ１５０２）。
【０１０１】
続いて、主側制御部２４が、小容量用タスクキューのもっとも古い中途送信タスクを消去する（Ｓ１５０３）。以上で、中途送信タスク消化処理が終了する。
【０１０２】
本実施の形態の画像表示システムにおいて、携帯情報端末（ａ）３は、端末側表示画像７の同期において、主装置２を介することなく端末側表示画像７を携帯情報端末（ｂ）４、及び携帯情報端末（ｃ）５に直接送信することができる。これにより、同期が達成されるまでの時間を短縮した、使い勝手の良い画像表示システムとすることができる。
【０１０３】
実施の形態３
図２０は、実施の形態３における画像表示システムの構成を示すブロック図である。図に示すように、本実施の形態において、主装置２は、主側表示部２１に表示されている複数の表示画像を統合して、一つの画像をして出力する画像統合部２６を持つ点が実施の形態１、２の主装置２と異なる。
【０１０４】
以下で、携帯情報端末（ａ）３が、主側表示部２１で表示されている表示画像６を、統合された一つの画像として取得する処理について説明する。図２１は、主側通信部２２が、携帯情報端末（ａ）３の統合画像の要求を受けてから、統合画像を送信するまでの処理を示すフローチャートである。図に示すように、まず、画像統合部２６は、主側表示部２１から主側表示画像６と主側表示画像６の各要素の操作情報を取得する（Ｓ１６０１）。なお、ここで取得する操作情報とは、操作対象である主側表示画像６の画像ＩＤと、主側表示画像６の各要素の初期表示の姿勢と現在の姿勢とのパラメータの差の値で構成される。
【０１０５】
次いで、画像統合部２６が、取得した表示画像と表示状態から、統合画像を生成する（Ｓ１６０２）。そして、主側通信部２２が、生成した統合画像を、統合画像の要求を出した携帯情報端末（ａ）３に送信する（Ｓ１６０３）。ここで送信された画像は、端末側記憶部３３で保存することや、端末側通信部３２から主側通信部２２に一つの画像として改めて送信し、主側表示部２１上に表示することが可能である。以上で、統合画像に関する処理が終了する。
【０１０６】
以上のように、本実施の形態では、利用者は、主側表示部２１で表示及び操作されている複数の画像の集合を一つの統合画像として取得することができる。これにより、画像表示システムの利用者は、主装置２と携帯情報端末（ａ）３を使って、上記のような複数の画像の編集及び統合画像の生成を、複数人で実現することができる。また、利用者は、取得した統合画像を画像表示システムなどに再利用することができる。
【符号の説明】
【０１０７】
１  画像表示システム
２  主装置
３  携帯情報端末（ａ）
４  携帯情報端末（ｂ）
５  携帯情報端末（ｃ）
６  主側表示画像
７  端末側表示画像
２１  主側表示部
２２  主側通信部
２３  主側記憶部
２４  主側制御部
２５  画像送信管理部
２６  画像統合部
３１  端末側表示部
３２  端末側通信部
３３  端末側記憶部
３４  端末側制御部
３５  操作入力部
３６  低解像度画像生成部
４１    上り通信
４２    下り通信
４３    マルチ通信
４４    上りマルチ通信
【図１】
0006476646.tif 000002
【図２】
0006476646.tif 000003
【図３】
0006476646.tif 000004
【図４】
0006476646.tif 000005
【図５】
0006476646.tif 000006
【図６】
0006476646.tif 000007
【図７】
0006476646.tif 000008
【図８】
0006476646.tif 000009
【図９】
0006476646.tif 000010
【図１０】
0006476646.tif 000011
【図１１】
0006476646.tif 000012
【図１２】
0006476646.tif 000013
【図１３】
0006476646.tif 000014
【図１４】
0006476646.tif 000015
【図１５】
0006476646.tif 000016
【図１６】
0006476646.tif 000017
【図１７】
0006476646.tif 000018
【図１８】
0006476646.tif 000019
【図１９】
0006476646.tif 000020
【図２０】
0006476646.tif 000021
【図２１】
0006476646.tif 000022